(57)【要約】【課題】  麦茶等を煮出した、やかんのあら熱を除去するため、水の気化熱を利用して温度を下げ、少量の水で場所も取らずまた、やかんの外面で火傷をしない、やかんのあら熱除去具を提供する。【解決手段】  柔軟で吸収性を有する多角形又は円形の布地外周から中心部に向け切れ目を設け、底部に吸水布地を垂下し、外周に紐通し口を周設して縛り紐を通し、端部に留め玉を取り付けた冷却布地と、冷却用の水を収納する側面上部が凹凸状に形成した給水容器と、から成るやかんのあら熱除去具。【選択図】図１
2014226536.tif 000002
【特許請求の範囲】
【請求項１】
やかんの底部から外周を覆う冷却布地は柔軟で吸収性を有し、冷却布地外周から中心部に向けて布地に切れ目を設け、冷却用の水を収納する給水容器に冷却布地で覆ったやかんを載置し、該布地の底部から吸水布地を垂下させ、吸水布地の下端が給水容器内の水に浸すように設けたやかんのあら熱除去具。
【請求項２】
やかんを覆う冷却布地を多角形にした請求項１記載のやかんのあら熱除去具。
【請求項３】
やかんを覆う冷却布地を円形にした請求項１記載のやかんのあら熱除去具。
【請求項４】
冷却布地外周に、紐通し口を周設して縛り紐を通し、端部に留め玉を取り付けた請求項１〜３のいずれか１項に記載のやかんのあら熱除去具。
【請求項５】
給水容器の側面上部は、凹凸状に形成した請求項１記載のやかんのあら熱除去具。
【発明の詳細な説明】
【技術分野】
【０００１】  本発明は、麦茶等を煮出した、やかんのあら熱を除去するため、水の気化熱を利用して温度を下げる、やかんのあら熱除去具である。
【背景技術】
【０００２】  従来、麦茶等を煮出した、やかんのあら熱を下げるためには、そのまま放置して自然冷却するか、急ぐ場合は水を張った容器にやかんを入れ冷やしていた。また上部蓋体から、水を連続で掛け流して冷やすやかんが提案されている、例えば特許文献２が知られている。【０００３】  しかし、特許文献２は蓋体上面部に、放射状の導水路を設けた構造で、水道水を蓋体上方から連続で流す必要があり、流し台の場所を要しまた、種類の違う他のやかんでは使用できない欠点があった。
【先行技術文献】
【特許文献】
【０００４】
【特許文献１】  特開２０００−５１０７９号公報
【特許文献２】  特開２００５−２１１５６１号公報
【発明の概要】
【発明が解決しようとする課題】
【０００５】  そのため、次のような問題点があった。
（イ）煮出した、やかんの温度は高温であり、自然冷却では熱の下がりが遅い、また水を入れた容器で冷やす方法でも、多量の水を垂れ流す必要があり無駄になっていた。さらに、流し台の場所をとり邪魔になっていた。
（ロ）やかんの外面は高温になるので、子供が火傷をする危険性があった。【０００６】  本発明は、これらの問題点を鑑みてなされたものであって、水の気化熱を利用して、やかんの温度を下げ、また垂れ流す水道水も不要、流し台の場所もとらず、種類の違うやかんでも使える器具を提供することを目的とする。
【課題を解決するための手段】
【０００７】  上記の目的を達成するため、やかんの底部から外周を覆う例えば六角形の冷却布地は柔軟で吸収性を有し、冷却布地外周から中心部に向けて布地に切れ目を設け、冷却用の水を収納する給水容器に冷却布地で覆ったやかんを載置し、該布地の底部から吸水布地を垂下させ、吸水布地の下端が給水容器内の水に浸すように設ける。【０００８】  冷却布地の外周には、紐通し口を周設して縛り紐を通し、端部に留め玉を取り付ける。また、冷却布地の形状は六角形に限定するものでは無く、多角形や円形でも良い。
以上を特徴とする、やかんのあら熱除去具である。
【発明の効果】
【０００９】  本発明は、煮出した熱いやかん（１）を、例えば六角形の冷却布地（２）で簡単に安全に包め、水の気化熱を利用してやかん（１）の温度を早く下げることが出来る。【００１０】  また、給水容器（８）に収納した水（９）を吸水布地（７）が毛細管現象で吸い上げ冷却布地（２）の全面を満遍なく濡らすので、少量の水だけで効率よく冷やすことができ、さらに水道水を必要としないので流し台以外の場所にも置く事ができる。また、やかん（１）の外面は熱くないのでヤケド防止にもなる。【００１１】  ３リットルのやかんで温度降下の試験確認を実施した結果、９５℃迄加熱後４０℃迄の自然冷却では約４時間を要したが、図１に示すやかんのあら熱除去具では、約２時間を要し、冷却時間を約５０％短縮出来た。
【図面の簡単な説明】
【００１２】
【図１】  本発明の使用状態を示す斜視図
【図２】  本発明の六角形冷却布地の底面図
【図３】  本発明の六角形冷却布地の平面図
【図４】  本発明の円形冷却布地の平面図
【発明を実施するための形態】
【００１３】  以下、本発明の実施の形態について説明する。
（イ）例えば六角形の柔軟で吸収性を有す冷却布地（２）の外周から中心部に向け、切れ目（３）を形成し様々な形状のやかんでも包むことが出来る。また冷却布地（２）は六角形に限定するものでは無く、多角形や円形でも良い。
（ロ）冷却布地（２）の外周に紐通し口（４）を周設し、縛り紐（５）を通し端部に留め玉（６ａ）（６ｂ）（６ｃ）（６ｄ）を取り付けるので、熱いやかんに触ることなく簡単にまた安全に包む事ができる。
（ハ）冷却用の水（９）を収納した給水容器（８）の側面上部を凸凹状に形成し、その上部に冷却布地（２）で覆ったやかんを載置する、すると底部に垂下した吸水布地（７）の下端が水（９）に浸され、毛細管現象で全面を満遍なく濡らす。
（ニ）冷却布地（２）の底部に垂下する吸水布地（７）の下端は、給水容器（８）の底面に接触するので、水（９）を残さず吸水できる。
本発明は以上のような構成である。
【００１４】  本発明を使用するときは、例えば六角形の冷却布地（２）を濡らして底部にある吸水布地（７）が下面になるように広げその上に煮だしたやかん（１）を置く。このとき注ぎ口が切れ目（３）の留め玉（６ａ）と（６ｂ）の間を向くように置き、次に留め玉（６ａ）（６ｂ）と（６ｃ）（６ｄ）を両手で持ち上げ包む、すると冷却布地（２）は縛り紐（５）で縛られ、やかん（１）の外面と密着し、ずり落ちない。
【００１５】  前記やかんを、水（９）を収納した給水容器（８）に載置する。すると底部に垂下した吸水布地（７）が水（９）に浸され毛細管現象で冷却布地（２）の全面を満遍なく濡らし、熱いやかん（１）を少量の水だけで、効率よく冷却することが出来る。
【００１６】  やかん（１）を冷却布地（２）で包むときは、留め玉（６ａ）（６ｂ）と（６ｃ）（６ｄ）を両手で持ち上げ縛るので、熱いやかんに触ることなく簡単に安全に包む事ができまた、熱いやかんの外面で、子供が火傷をする危険性もない。
【００１７】  また、冷却布地（２）には、数か所の切れ目（３）があるので、注ぎ口も邪魔にならず様々な形状のやかんでも密着して包める。
【００１８】  給水容器（８）に収納した少量の水（９）のみで効率よく冷却出来るので、蛇口から水道水を連続で掛け流す必要もなく省エネになる。また、場所を取らないので何処にでも置く事が出来る。
【００１９】  給水容器（８）の側面上部を凸（１０）凹（１１）状に形成しているので、冷却水量が確認できる。
【００２０】  冷却布地（２）の形状は、六角形に限定されるものでは無く多角形や円形でも良い。また、冷却布地（２）は、安価で加工もしやすいので製造コストを安く出来る。
【００２１】  ３リットルのやかんで温度降下の試験確認を実施した結果、９５℃迄加熱後４０℃迄の自然冷却では約４時間を要したが、図１に示すやかんのあら熱除去具で冷やすと、約２時間を要し、冷却時間を約５０％短縮出来た。
【符号の説明】
【００２２】    １    やかん
２    冷却布地
３    切れ目
４    紐通し口
５    縛り紐
６ａ  留め玉
６ｂ  留め玉
６ｃ  留め玉
６ｄ  留め玉
７    吸水布地
８    給水容器
９    水
１０  凸
１１  凹
【図１】
2014226536.tif 000003
【図２】
2014226536.tif 000004
【図３】
2014226536.tif 000005
【図４】
2014226536.tif 000006